(57)【要約】【課題】構造が簡単で、容易かつ確実にジャックに接続して固定することができるとともに、強度の低下を抑制することができるコネクタが望まれている。【解決手段】所定のジャックに挿入されるコネクタであって、接合部を有する本体部と、本体部の挿入方向に対して垂直方向の上面に設けられ、挿入方向における一端が本体部に固定され、挿入方向における他端が上面から離間するように突出し、ジャックにコネクタを固定する突起部と、本体部に装着され、挿入方向に対して水平方向にスライドさせることによって突起部を突出させる突起突出部を有するカバー部とを備える。【選択図】図１
2019149270.tif 000002
【特許請求の範囲】
【請求項１】
所定のジャックに挿入されるコネクタであって、
接合部を有する本体部と、
前記本体部の挿入方向に対して垂直方向の上面に設けられ、前記挿入方向における一端が前記本体部に固定され、前記挿入方向における他端が前記上面から離間するように突出し、前記ジャックに前記コネクタを固定する突起部と、
前記本体部に装着され、前記挿入方向に対して水平方向にスライドさせることによって前記突起部を突出させる突起突出部を有するカバー部と
を備える
ことを特徴とするコネクタ。
【請求項２】
前記突起部は、
前記接合部側の前記一端が固定され、前記他端が突出するものであり、
前記カバー部が前記接合部方向にスライドした際に突出する
ことを特徴とする請求項１に記載のコネクタ。
【請求項３】
前記突起部は、前記他端に突起傾斜面を有し、
前記突起突出部は、前記突起傾斜面に接するカバー側傾斜面を有し、
前記カバー部が前記接合部方向にスライドした際に、前記突起傾斜面と前記カバー側傾斜面とが摺動することによって前記突起部が突出する
ことを特徴とする請求項２に記載のコネクタ。
【請求項４】
前記突起部は、
前記接合部側の反対側の前記一端が固定され、前記接合部側の前記他端が突出するものであり、
前記カバー部が前記接合部側とは反対方向にスライドした際に突出する
ことを特徴とする請求項１に記載のコネクタ。
【請求項５】
前記突起部は、
前記接合部側の前記一端が固定され、前記他端が突出するものであり、
前記カバー部が前記接合部側とは反対方向にスライドした際に突出する
ことを特徴とする請求項１に記載のコネクタ。
【請求項６】
前記突起部は、
前記本体部と一体形成されている
ことを特徴とする請求項１〜５のいずれか一項に記載のコネクタ。
【請求項７】
前記コネクタは、ＲＪ４５コネクタである
ことを特徴とする請求項１〜５のいずれか一項に記載のコネクタ。
【請求項８】
前記コネクタは、ＧＧ４５コネクタである
ことを特徴とする請求項１〜５のいずれか一項に記載のコネクタ。
【発明の詳細な説明】
【技術分野】
【０００１】
本発明は、ジャックに接続されて固定されるコネクタに関する。
【背景技術】
【０００２】
従来、ＬＡＮ（Ｌｏｃａｌ  Ａｒｅａ  Ｎｅｔｗｏｒｋ）ケーブルに用いられているＲＪ（Ｒｅｇｉｓｔｅｒｅｄ  Ｊａｃｋ）４５コネクタなどのコネクタ（プラグ）は、爪部を有している。爪部は、コネクタ本体と一体形成されており、一端側がコネクタ本体に固定され、他端側がコネクタ本体から外側に向かって延びている。コネクタがジャックに挿入された際、爪部の他端側がジャックの内壁に押されることによって弾性変形し、コネクタ本体に接触するように曲がる。そして、コネクタがジャック内の決められた位置まで挿入されたとき、爪部に形成された嵌合用突起がジャックの内壁に設けられた凹部に嵌合する。これにより、コネクタがジャックに固定される。
【０００３】
また、最近では、ジャックに対してコネクタをより確実に固定するための方法が提案されている。例えば、特許文献１には、内部にねじ機構を形成するとともに、上面に可動部を設け、ジャックに挿入された際に、ねじを螺合させることによって可動部を爪部に押し当て、爪部をジャックの内壁側に嵌合させるコネクタが開示されている。
【先行技術文献】
【特許文献】
【０００４】
【特許文献１】特開２００７−６６５９３号公報
【発明の概要】
【発明が解決しようとする課題】
【０００５】
しかしながら、特許文献１に記載のコネクタは、内部にねじ機構を形成する必要があるため、構造が複雑になるとともに、ジャックへの固定に手間がかかる。また、ねじ機構によってコネクタ内部が中空となるとともに、上面に可動部が形成されるため、コネクタの強度が低下する。
【０００６】
そこで、上記の課題を解決するために、構造が簡単で、容易かつ確実にジャックに接続して固定することができるとともに、強度の低下を抑制することができるコネクタが望まれている。
【課題を解決するための手段】
【０００７】
本発明に係るコネクタは、所定のジャックに挿入されるコネクタであって、接合部を有する本体部と、前記本体部の挿入方向に対して垂直方向の上面に設けられ、前記挿入方向における一端が前記本体部に固定され、前記挿入方向における他端が前記上面から離間するように突出し、前記ジャックに前記コネクタを固定する突起部と、前記本体部に装着され、前記挿入方向に対して水平方向にスライドさせることによって前記突起部を突出させる突起突出部を有するカバー部とを備えるものである。
【発明の効果】
【０００８】
以上のように、本発明によれば、カバー部をスライドさせることにより、固定用突起が突出してジャックに嵌合するため、構造が簡単で、容易かつ確実にジャックに接続して固定することができるとともに、強度の低下を抑制することができる。
【図面の簡単な説明】
【０００９】
【図１】実施の形態１に係るコネクタの外観の一例を示す斜視図である。
【図２】図１のコネクタを正面、側面および上面から見た場合の外観の一例を示す三面図である。
【図３】図１の本体部の外観の一例を示す斜視図である。
【図４】図１のカバー部の外観の一例を示す斜視図である。
【図５】実施の形態１に係るコネクタが接続されるジャックの外観の一例を示す斜視図である。
【図６】図１のコネクタをジャックに接続する際のコネクタの着脱について説明するための概略図である。
【図７】実施の形態１に係るコネクタの第１の変形例の外観の一例を示す斜視図である。
【図８】実施の形態１に係るコネクタの第２の変形例の外観の一例を示す斜視図である。
【図９】実施の形態２に係るコネクタの外観の一例を示す斜視図である。
【発明を実施するための形態】
【００１０】
実施の形態１．
以下、本実施の形態１に係るコネクタについて説明する。本実施の形態１に係るコネクタは、ジャックに挿入され、コネクタおよびジャックの端子同士が互いに電気的に接続した状態で固定されるものであり、アダプタ、プラグ、ソケットと呼称されるものも含まれる。
【００１１】
［コネクタの構造］
図１は、本実施の形態１に係るコネクタ１の外観の一例を示す斜視図である。図２は、図１のコネクタ１を正面、側面および上面から見た場合の外観の一例を示す三面図である。以下では、通信用コネクタの規格であるＲＪ（Ｒｅｇｉｓｔｅｒｅｄ  Ｊａｃｋ）規格に準じたコネクタのうち、ＲＪ４５のコネクタを例にとって説明する。なお、本実施の形態１に係るコネクタ１は、ＲＪ４５に限られず、対応するジャック４に固定される各種のコネクタに適用することができる。図１および図２に示すように、コネクタ１は、本体部１０、カバー部２０および突起部としての固定用突起３０を有している。
【００１２】
（本体部１０）
図３は、図１の本体部１０の外観の一例を示す斜視図である。図１〜図３に示すように、本体部１０は、正面１０ｘ側から見て段部１０ａを有する凸状に形成されている。本体部１０は、各種信号を伝送するためのケーブルＣが背面１０ｙ側に接続されており、接合部１１を備えている。
【００１３】
接合部１１は、本体部１０の正面１０ｘに設けられている。接合部１１は、ケーブルＣに電気的に接続された１または複数の接続端子からなり、コネクタ１がジャック４に挿入された際に、ジャック４の接合部と接触することによってそれぞれの接合部同士が接続される。
【００１４】
（固定用突起３０）
固定用突起３０は、コネクタ１がジャック４に挿入された際に、コネクタ１をジャック４に固定するためのものである。固定用突起３０は、本体部１０の上面１０ｚに設けられ、上面１０ｚ方向から見て矩形状に形成されている。固定用突起３０は、正面１０ｘ側が固定され、背面１０ｙ側の他端が本体部１０から離間するように、本体部１０の上面１０ｚに接する面の一部が切り離されている。固定用突起３０は、例えば本体部１０と一体形成されている。
【００１５】
固定用突起３０は、通常状態において、本体部１０の上面１０ｚに接するように位置している。コネクタ１をジャック４に接続する場合、固定用突起３０は、下方から加えられる力によって背面１０ｙ側の他端が持ち上がり、突出する。また、固定用突起３０は、弾性変形する部材によって形成されており、下方からの力がなくなると、弾性力によって通常状態の位置に戻る。固定用突起３０の他端には、内側に向かって傾斜した突起傾斜面３０ａが形成されている。
【００１６】
（カバー部２０）
図４は、図１のカバー部２０の外観の一例を示す斜視図である。図４に示すように、カバー部２０は、固定用突起３０が挿入される切り欠き２０ａが形成されており、本体部１０を収容する中空部２０ｂを有している。また、カバー部２０は、下方に延出する脚部２０ｃが形成されている。カバー部２０は、本体部１０の上面を覆うようにして本体部１０に装着され、脚部２０ｃが本体部の段部１０ａ上に載置される。そして、脚部２０ｃが段部１０ａ上を摺動する（接触して移動する）ことにより、カバー部２０が本体部１０に対して水平方向（矢印Ｙ方向）にスライドする。
【００１７】
カバー部２０は、突起突出部２１を備えている。突起突出部２１は、本体部１０の固定用突起３０を突出させるためのものである。突起突出部２１はカバー側傾斜面２１ａからなり、通常状態において、カバー側傾斜面２１ａが固定用突起３０の突起傾斜面３０ａに接するようにされている。カバー部２０が接合部１１側（矢印Ｙ１方向）にスライドした際に、カバー側傾斜面２１ａは、突起傾斜面３０ａを押して摺動しながら固定用突起３０の下に入り込む。すると、突起突出部２１は、固定用突起３０に対して下方から力を加え、固定用突起３０を突出させる。
【００１８】
［ジャック４の構造］
図５は、本実施の形態１に係るコネクタ１が接続されるジャック４の外観の一例を示す斜視図である。ジャック４は、上述したコネクタ１が接続されるものであり、図５に示すように、コネクタ１が挿入される挿入口４０が形成されている。
【００１９】
挿入口４０は、コネクタ１の外形に対応した形状に形成されている。挿入口４０の内壁には、コネクタ１を固定するための固定用凹部４１が形成されている。固定用凹部４１は、コネクタ１の固定用突起３０に対応する位置に設けられ、コネクタ１がジャック４に挿入された際に、固定用凹部４１に固定用突起３０が挿入することにより、コネクタ１がジャック４に固定される。
【００２０】
［コネクタ１の着脱方法］
次に、上記の構造を有するコネクタ１のジャック４に対する着脱方法について説明する。図６は、図１のコネクタ１をジャック４に接続する際のコネクタ１の着脱について説明するための概略図である。なお、図６に示す例では、コネクタ１の動きが容易に理解できるように、ジャック４の図示を省略している。
【００２１】
まず、コネクタ１をジャック４に挿入する前の段階において、突起傾斜面３０ａとカバー側傾斜面２１ａとが接触しており、固定用突起３０は、本体部１０の上面１０ｚに水平な位置となっている。次に、コネクタ１をジャック４に挿入する。このとき、固定用突起３０は本体部１０の上面と水平になっているため、固定用突起３０がジャック４に接触することなくコネクタ１が挿入される。
【００２２】
設定位置までコネクタ１が挿入された後、カバー部２０が正面１０ｘ方向（矢印Ｙ１方向）へスライドされる。カバー部２０が正面１０ｘ方向（矢印Ｙ１方向）へスライドすると、カバー側傾斜面２１ａが突起傾斜面３０ａを摺動しながら押し、固定用突起３０の下に入り込む。すると、突起突出部２１に対して下方から力が加えられて固定用突起３０がカバー部２０の上面から突出する。
【００２３】
コネクタ１が設定位置まで挿入されている場合、固定用突起３０の突起傾斜面３０ａ側がジャック４における固定用凹部４１の下方に位置するため、突出した固定用突起３０が固定用凹部４１に挿入される。このとき、スライドしたカバー部２０が固定されることにより、固定用突起３０の突出が保持される。これにより、コネクタ１がジャック４に嵌合されて固定される。
【００２４】
一方、コネクタ１をジャック４から取り外す場合には、カバー部２０が固定解除されて背面１０ｙ方向（矢印Ｙ２方向）にスライドされる。すると、固定用突起３０の突出を保持していた突起突出部２１が背面１０ｙ方向（矢印Ｙ２方向）に移動するため、固定用突起３０は、弾性力によって突出が解除され、固定用突起３０が本体部１０の上面１０ｚ上に位置する（図３参照）。これにより、固定用突起３０の固定用凹部４１に対する嵌合が解除され、コネクタ１の移動が可能となる。
【００２５】
以上のように、本実施の形態１に係るコネクタ１は、カバー部２０をスライドさせることにより、固定用突起３０が突出してジャック４に嵌合する。このように、カバー部２０をスライドさせるだけで、コネクタ１をジャック４に固定することができるため、容易かつ確実にコネクタ１をジャック４に接続して固定することができる。また、従来のように、コネクタ１に中空部を設ける必要がないため、強度の低下を抑制することができる。
【００２６】
コネクタ１において、固定用突起３０は、正面１０ｘ側の一端が固定され、背面１０ｙ側の他端が突出するものであり、カバー部２０が正面１０ｘ方向にスライドした際に突出する。従来のコネクタは、固定用突起がコネクタ本体の外側に向かって延びているため、ケーブルの引き回し等を行う際に、ケーブルが固定用突起に引っかかりやすく、固定用突起が破損する虞がある。これに対して、本実施の形態１に係るコネクタ１は、通常状態において固定用突起３０が本体部１０の上面１０ｚに水平に位置している。そのため、従来のような破損の虞を抑制することができる。
【００２７】
さらに、ジャック４に挿入された状態でカバー部２０が正面１０ｘ方向にスライドすることにより、固定用突起３０の他端に形成された突起傾斜面３０ａと突起突出部２１に形成された突起傾斜面３０ａとが摺動する。これにより、固定用突起３０に対して下方から力を加えて固定用突起３０を突出させることができる。
【００２８】
（第１の変形例）
図７は、本実施の形態１に係るコネクタ１の第１の変形例の外観の一例を示す斜視図である。第１の変形例によるコネクタ１は、コネクタ１をジャック４に挿入した際に、カバー部２０を背面１０ｙ方向（矢印Ｙ２方向）にスライドさせることにより、本体部１０の固定用突起３０を突出させる。
【００２９】
第１の変形例において、固定用突起３０は、背面１０ｙ側の他端が固定され、正面１０ｘ側の一端が本体部１０から離間するように、本体部１０の上面１０ｚに接する面の一部が切り離されている。第１の変形例において、固定用突起３０は、正面１０ｘ側の一端に、上面１０ｚ方向に延び、かつ、その上面が上面１０ｚに水平である突起を有しており、鍵爪状の形状を有している。固定用突起３０は、通常状態において、正面１０ｘ側の一端が本体部１０から外側に向かって突出するように位置している。このとき、カバー部２０は、正面１０ｘ方向（矢印Ｙ１方向）にスライドした状態とされており、突起突出部２１によって固定用突起３０に対して上方から力が加えられている。すなわち、本体部１０にカバー部２０が装着されている通常状態において、固定用突起３０は、本体部１０の上面１０ｚに接するように位置している。
【００３０】
図７に示すコネクタ１では、通常状態においてカバー部２０が正面１０ｘ方向（矢印Ｙ１方向）に押し込まれた状態となっている。この状態において、固定用突起３０は、カバー部２０の突起突出部２１によって上方から力が加えられた状態となっている。そのため、固定用突起３０は、コネクタ１がジャック４に挿入される前の段階で、本体部１０に対して水平方向に位置している。
【００３１】
コネクタ１がジャック４に挿入される場合、固定用突起３０は本体部１０の上面１０ｚと水平になっているため、固定用突起３０がジャック４に接触することなくコネクタ１が挿入される。設定位置までコネクタ１が挿入された後、カバー部２０が背面１０ｙ方向（矢印Ｙ２方向）へスライドされる。カバー部２０が背面１０ｙ方向（矢印Ｙ２方向）へスライドすると、突起突出部２１によって固定用突起３０に対して上方からの力がなくなるため、固定用突起３０は、弾性力によってカバー部２０の上面から突出する。
【００３２】
コネクタ１が設定位置まで挿入されている場合、固定用突起３０の他端がジャック４における固定用凹部４１の下方に位置するため、突出した固定用突起３０が固定用凹部４１に挿入される。これにより、コネクタ１がジャック４に嵌合されて固定される。
【００３３】
一方、コネクタ１をジャック４から取り外す場合には、コネクタ１のカバー部２０が正面１０ｘ方向（矢印Ｙ１方向）にスライドされる。すると、突出していた固定用突起３０に対して突起突出部２１による力が上方から加えられるため、固定用突起３０は、本体部１０の上面１０ｚ上に位置する。これにより、固定用突起３０の固定用凹部４１に対する嵌合が解除され、コネクタ１の移動が可能となる。
【００３４】
このように、本実施の形態１による第１の変形例では、固定用突起３０は、背面１０ｙ側の一端が固定され、正面１０ｘ側の他端が突出するものであり、カバー部２０が背面１０ｙ方向にスライドした際に突出する。これにより、実施の形態１と同様に、構造が簡単で、容易かつ確実にコネクタ１をジャック４に接続して固定するとともに、強度の低下を抑制することができる。
【００３５】
（第２の変形例）
図８は、本実施の形態１に係るコネクタ１の第２の変形例の外観の一例を示す斜視図である。第２の変形例によるコネクタ１は、コネクタ１をジャック４に挿入した際に、カバー部２０を正面１０ｘ方向（矢印Ｙ１方向）にスライドさせることにより、本体部１０の固定用突起３０を突出させる。
【００３６】
第２の変形例において、固定用突起３０は、正面１０ｘ側の一端が固定され、背面１０ｙ側の他端が本体部１０から離間するように、本体部１０の上面１０ｚに接する面の一部が切り離されている。また、突起突出部２１は、カバー部２０における本体部１０の正面１０ｘ側に形成されている。
【００３７】
図８に示すコネクタ１では、通常状態においてカバー部２０が背面１０ｙ方向（矢印Ｙ２方向）にスライドした状態となっている。この状態において、固定用突起３０は、カバー部２０の突起突出部２１によって上方から力が加えられた状態となっており、本体部１０に対して水平方向に位置している。
【００３８】
コネクタ１がジャック４に挿入される場合、固定用突起３０は本体部１０の上面１０ｚと水平になっているため、固定用突起３０がジャック４に接触することなくコネクタ１が挿入される。設定位置までコネクタ１が挿入された後、カバー部２０が正面１０ｘ方向（矢印Ｙ１方向）へスライドされる。カバー部２０が正面１０ｘ方向（矢印Ｙ１方向）へスライドすると、突起突出部２１によって固定用突起３０に対して上方からの力がなくなるため、固定用突起３０は、弾性力によってカバー部２０の上面から突出する。
【００３９】
コネクタ１が設定位置まで挿入されている場合、固定用突起３０の他端がジャック４における固定用凹部４１の下方に位置するため、突出した固定用突起３０が固定用凹部４１に挿入される。これにより、コネクタ１がジャック４に嵌合されて固定される。
【００４０】
一方、コネクタ１をジャック４から取り外す場合には、コネクタ１のカバー部２０が背面１０ｙ方向（矢印Ｙ２方向）にスライドする。すると、突出していた固定用突起３０に対して突起突出部２１による力が上方から加えられるため、固定用突起３０は、本体部１０の上面１０ｚと平行になる。これにより、固定用突起３０の固定用凹部４１に対する嵌合が解除され、コネクタ１の移動が可能となる。
【００４１】
このように、本実施の形態１による第２の変形例では、固定用突起３０は、正面１０ｘ側の一端が固定され、背面１０ｙ側の他端が突出するものであり、カバー部２０が背面１０ｙ方向にスライドした際に突出する。これにより、実施の形態１および第１の変形例と同様に、構造が簡単で、容易かつ確実にコネクタ１をジャック４に接続して固定するとともに、強度の低下を抑制することができる。
【００４２】
実施の形態２．
次に、本発明の実施の形態２に係るコネクタについて説明する。本実施の形態２は、実施の形態１で説明したコネクタの構造をＧＧ（Ｇｉｇａ  Ｇａｔｅ）４５コネクタに適用した例である。なお、以下の説明において、実施の形態１と共通する構成には同一の符号を付し、詳細な説明を省略する。
【００４３】
図９は、本実施の形態２に係るコネクタ１の外観の一例を示す斜視図である。ＧＧ４５は、通信用コネクタの規格であり、ＲＪ４５のコネクタと後方互換性を有するコネクタである。ＧＧ４５コネクタを用いた場合には、ＲＪ４５コネクタを用いた場合よりも高速通信を行うことができる。ＧＧ４５コネクタは、ＲＪ４５コネクタと比較して、正面１０ｘ側の上面にも接合部１１が設けられている。そのため、本実施の形態２では、図９に示すように、カバー部２０は、本体部１０の固定用突起３０および上面１０ｚの接合部１１を除いて本体部１０の上面を覆うようにして本体部１０に装着される。
【００４４】
本実施の形態２に係るコネクタ１の構造およびジャック４への着脱方法は、上述した実施の形態１と同様である。すなわち、本実施の形態２に係るコネクタ１は、本体部１０、カバー部２０および固定用突起３０で構成されている。本体部１０には固定用突起３０が設けられ、カバー部２０には突起突出部２１が設けられている。
【００４５】
コネクタ１をジャック４に接続して固定する場合には、コネクタ１をジャック４に挿入した状態で、カバー部２０を背面１０ｙ側から正面１０ｘ側（矢印Ｙ１方向）にスライドさせる。これにより、固定用突起３０が突出し、ジャック４の固定用凹部４１に挿入される。また、コネクタ１をジャック４から取り外す場合には、コネクタ１のカバー部２０を背面１０ｙ方向（矢印Ｙ２方向）にスライドさせることにより、固定用突起３０は突出が解除され、本体部１０の上面１０ｚ上に位置する。これにより、固定用突起３０の固定用凹部４１に対する嵌合が解除され、コネクタ１の移動が可能となる。
【００４６】
このように、本実施の形態２に係るコネクタ１は、実施の形態１と同様に、ジャック４に挿入された状態でカバー部２０をスライドさせることにより、固定用突起３０が突出してジャック４の固定用凹部４１に挿入される。そのため、構造が簡単で、容易かつ確実にコネクタ１をジャック４に接続して固定することができるとともに、強度の低下を抑制することができる。
【００４７】
以上、実施の形態１および２について説明したが、本発明は、上述した実施の形態１および２に限定されるものではなく、本発明の要旨を逸脱しない範囲内で様々な変形や応用が可能である。例えば、実施の形態１では、固定用突起３０が本体部１０と一体形成されているように説明したが、これに限られず、別体で形成されてもよい。具体的には、例えば、固定用突起３０がヒンジ等によって本体部１０に取り付けられてもよい。
【００４８】
また、実施の形態１および２で説明したコネクタ１の構造は、ＲＪ４５およびＧＧ４５のコネクタに適用される場合に限られない。この構造は、例えば、１０ＧＢＡＳＥ−ＳＲ、１０ＧＢＡＳＥ−ＬＲＭ、１０ＧＢＡＳＥ−ＬＲ、１０ＧＢＡＳＥ−ＥＲおよび１０ＧＢＡＳＥ−ＺＲ等の光ファイバケーブルに用いられるコネクタに適用されてもよい。
【００４９】
なお、実施の形態１および２で説明したコネクタ１の構造は、ケーブルＣの有無、およびケーブルＣの種類の影響を受けるものではない。従って、実施の形態１および２で説明したコネクタ１の構造は、ケーブルが接続されて流通する物品に当然に適用可能であり、ケーブルが接続されずに流通する物品、例えば上述したアダプタ、プラグ、ソケットと呼称される物品にも適用可能である。
【符号の説明】
【００５０】
１  コネクタ、４  ジャック、１０  本体部、１０ａ  段部、１０ｘ  正面、１０ｙ  背面、１０ｚ  上面、１１  接合部、２０  カバー部、２０ａ  切り欠き、２０ｂ  中空部、２０ｃ  脚部、２１  突起突出部、２１ａ  カバー側傾斜面、３０  固定用突起、３０ａ  突起傾斜面、４０  挿入口、４１  固定用凹部。
【図１】
2019149270.tif 000003
【図２】
2019149270.tif 000004
【図３】
2019149270.tif 000005
【図４】
2019149270.tif 000006
【図５】
2019149270.tif 000007
【図６】
2019149270.tif 000008
【図７】
2019149270.tif 000009
【図８】
2019149270.tif 000010
【図９】
2019149270.tif 000011